(57)【要約】【課題】再通知機能を有した携帯端末において、ユーザが通知に気づいていても、携帯端末を操作不可能な場合には、自動的に再通知機能を停止する。【解決手段】着信通知開始後にユーザが携帯端末に対して操作を行ったかを検出するとともに、着信前・着信後の携帯端末の振動状態を検出し、ユーザの携帯端末に対する操作の有無と着信前後の振動状態の変化に基づいて、ユーザが携帯端末を操作不可能か否かを判断する。ユーザが携帯端末を操作不可能と判断した場合は、再通知機能を停止する。【選択図】図１
2012138742.tif 000002
【特許請求の範囲】
【請求項１】
着信を検出する着信検出部を備え、着信に対する再通知機能を有する携帯端末であって、
前記携帯端末の振動状態を検出する振動状態検出部と、
前記着信検出部において着信を検出してからの経過時間を測定するタイマ部と、
ユーザの前記携帯端末に対する操作を検出する操作検出部と、
着信を検出する前後の前記携帯端末の振動状態を比較して前記携帯端末の振動状態の変化を検出する振動状態変化検出部と、
前記タイマ部で測定した前記経過時間と、前記操作検出部で検出した前記操作と、前記振動状態変化検出部において検出した前記携帯端末の振動状態の変化に基づいて、再通知機能を停止するか否かを制御する再通知機能制御部と、
を備えた携帯端末。
【請求項２】
ユーザが前記携帯端末に接触しているか否かを検出する接触センサを備え、
前記再通知機能制御部では、前記接触センサの検出結果に基づいて再通知機能を停止するか否かを制御する請求項１記載の携帯端末。
【請求項３】
着信を検出する着信検出ステップと、
携帯端末の振動状態を検出する振動状態検出ステップと、
着信を検出してからの経過時間を測定する経過時間測定ステップと、
ユーザの前記携帯端末に対する操作を検出する操作検出ステップと、
着信を検出する前後の前記携帯端末の振動状態を比較して前記携帯端末の振動状態の変化を検出する振動状態変化検出ステップと、
前記経過時間測定ステップで測定した前記経過時間と、前記操作検出ステップで検出した前記操作と、前記振動状態変化検出ステップにおいて検出した前記携帯端末の振動状態の変化に基づいて、前記再通知機能を停止するか否かを制御する再通知機能制御ステップと、
からなる再通知機能制御方法。
【発明の詳細な説明】
【技術分野】
【０００１】
本発明は、ユーザが音声着信等の通知に気づかなかった場合に、後で再度通知する再通知機能について、再通知機能を停止する手段を有した携帯端末に関するものである。
【背景技術】
【０００２】
従来、ユーザが音声着信等の通知に気づかなかった場合に、後で再度通知する再通知機能を有した携帯端末では、着信に気づかなかったユーザの状態変化を利用して、再通知を実施していた。
【０００３】
例えば特許文献１では、ユーザの歩行中の状態から歩行を停止した状態への変化を利用して、若しくは携帯端末が置かれたままの状態からユーザが携帯端末を手に持った状態への変化を利用して、再通知を行う。
【先行技術文献】
【特許文献】
【０００４】
【特許文献１】特開２００８−２２７６３９号公報
【発明の概要】
【発明が解決しようとする課題】
【０００５】
しかしながら、従来の再通知機能を有した携帯端末においては、会議中や荷物を両手に持った状態での移動中等の、ユーザが音声着信等の通知に気づいていても、携帯端末を操作不可能な状態にある場合に、再通知機能が作動し、通知に気づいているユーザが不快に感じる可能性があるという課題を有していた。
【０００６】
本発明は上記の従来の課題を解決するものであり、ユーザが通知に気づいていても応答不可能な場合には自動的に再通知機能を停止する手段を提供することを目的とする。
【課題を解決するための手段】
【０００７】
上記課題を解決する為に、本発明の携帯端末は、着信を検出する着信検出部を備え、着信に対する再通知機能を有する携帯端末であって、前記携帯端末の振動状態を検出する振動状態検出部と、前記着信検出部において着信を検出してからの経過時間を測定するタイマ部と、ユーザの前記携帯端末に対する操作を検出する操作検出部と、着信を検出する前後の前記携帯端末の振動状態を比較して前記携帯端末の振動状態の変化を検出する振動状態変化検出部と、前記タイマ部で測定した前記経過時間と、前記操作検出部で検出した前記操作と、前記振動状態変化検出部において検出した前記携帯端末の振動状態の変化に基づいて、再通知機能を停止するか否かを制御する再通知機能制御部とを備えるものである。
【発明の効果】
【０００８】
本発明によれば、ユーザが通知に気づいていても、携帯端末を操作不可能な状態にある場合に、再通知機能を停止することで、再通知が不要に行われることを防ぎ、ユーザの不快感を軽減させる効果が得られる。
【図面の簡単な説明】
【０００９】
【図１】本発明の実施の形態１における携帯端末の構成を示すブロック図
【図２】本発明の実施の形態１における携帯端末の動作を示すフローチャート
【図３】本発明の実施の形態１における携帯端末の再通知機能の起動・停止制御を示す図
【図４】本発明の実施の形態２における携帯端末の構成を示すブロック図
【図５】本発明の実施の形態２における携帯端末の動作を示すフローチャート
【図６】本発明の実施の形態２における携帯端末の再通知機能の起動・停止制御を示す図
【発明を実施するための形態】
【００１０】
（実施の形態１）
本発明の実施の形態１における携帯端末について、図面を参照しながら説明する。
【００１１】
図１は本実施の形態における携帯端末の構成を示すブロック図である。
【００１２】
本実施の形態の携帯端末は、着信検出部１、通知部２、操作検出部３、振動状態検出部４、振動状態変化検出部５、再通知機能制御部６、タイマ部７から成る。
【００１３】
着信検出部１は、音声着信、TV電話着信、メール受信、外部情報受信等の携帯端末へ通知された着信を検出し、通知部２および振動状態検出部４に対して着信検出を通知する。
【００１４】
通知部２は、着信検出部１からの着信検出を受けて、音声、バイブレータによる振動、ディスプレイ表示等を使用してユーザに対して着信があったことを通知する。
【００１５】
さらに通知部２は、ユーザに対して通知を行ったことを、操作検出部３へ通知する。同時に通知部２は、タイマ部７にタイマ測定の開始を指示する。
操作検出部３は、通知部２の着信通知を受けて、着信通知開始後にユーザが携帯端末に対して操作を行ったか否かを検出し、その結果を再通知機能制御部６に対して通知する。
【００１６】
振動状態検出部４は、携帯端末の振動状態を検出する。振動状態検出部４が検出可能なパラメータは、振幅、振動の方向、振動の周期とする。着信検出部１からの着信通知を受けて、着信前の携帯端末の振動状態を振動状態変化検出部５へ送信する。
さらに振動状態検出部４は、振動状態変化検出部５の要求を受けて、着信後の携帯端末の振動状態を振動状態変化検出部５へ送信する。
【００１７】
振動状態変化検出部５は、振動状態検出部４から着信前の携帯端末の振動状態を受信する。さらに振動状態変化検出部５は、タイマ部７からタイマ測定が停止したことを受けると、振動状態検出部４に対して着信後の携帯端末の振動状態の検出を要求する。
また、振動状態変化検出部５は、着信を検出する前後の携帯端末の振動状態を比較して携帯端末の振動状態の変化を検出し、その結果を再通知機能制御部６に対して通知する。
【００１８】
再通知機能制御部６は、タイマ部７で測定した着信通知開始からの経過時間と、操作検出部３で検出したユーザの携帯端末に対する操作の有無と、振動状態変化検出部５にて検出した携帯端末の振動状態の変化に基づいて、再通知機能を停止するか否かを判定する。
【００１９】
さらに再通知機能制御部６は、再通知機能を起動すると判断した場合に、着信前に振動状態であった場合は停止状態に変化したタイミング、着信前に停止状態であった場合は振動状態に変化したタイミング、もしくは予め設定したタイミングで、通知部２に対して再通知を指示する。
【００２０】
以上のように構成された携帯端末について、以下、フローチャートでその動作を説明する。
【００２１】
図２は本実施の形態における携帯端末の動作を示すフローチャートである。
音声着信、TV電話着信、メール受信、外部情報受信等の携帯端末へ通知された着信を着信検出部１で検知すると（S101）、着信検出部１はそれを通知部２および振動状態検出部４へ通知する。振動状態検出部４は、着信前の携帯端末の振動状態を検出する（S102）。通知部２は、着信検出部１からの着信検出を受けて、音声、バイブレータによる振動、ディスプレイ表示等を使用してユーザに対して着信があったことを通知する（S103）。さらに通知部２は、タイマ部７に一定時間のタイマ測定の開始を指示する（S104）。同時に通知部２は、ユーザに対して通知を行ったことを操作検出部３へ通知し、操作検出部３はそれを受けて着信通知開始後にユーザが携帯端末に対して操作を行ったか否かを検出する（S105）。
【００２２】
一定時間後、タイマ部７はタイマ測定を停止する（S106）。振動状態変化検出部５は、振動状態検出部４に対して着信後の携帯端末の振動状態の検出を要求し、振動状態検出部４は、それに応じて着信後の携帯端末の振動状態を検出する（S107）。
【００２３】
再通知機能制御部６は、タイマ部７で測定した着信通知開始からの経過時間と、操作検出部３で検出したユーザの携帯端末に対する操作の有無と、振動状態変化検出部５にて検出した携帯端末の振動状態の変化に基づいて、再通知機能を停止するか否かを判定する（S108）。
【００２４】
再通知機能制御部６は、操作検出部３にてユーザの携帯端末に対する操作が検出された場合は再通知機能を停止し、ユーザの携帯端末に対する操作が検出されなかった場合は、振動状態変化検出部５で検出した振動状態によって後述のように再通知機能の起動・停止判定を行う。
【００２５】
再通知機能制御部６による判定の結果、再通知機能を起動する場合は、着信前に振動状態であった場合は停止状態に変化したタイミング、着信前に停止状態であった場合は振動状態に変化したタイミング、もしくは予め設定したタイミングで、通知部２に対して再通知を指示する（S109）。
再通知機能制御部６による判定の結果、再通知機能を停止する場合は、本フローチャートを終了する。
【００２６】
図３は本実施の形態における携帯端末の再通知機能制御部６における再通知機能の起動・停止を決定する状態マトリクスである。再通知機能制御部６は、振動状態変化検出部５から通知される振動状態として、振動Aと、振動Bと、停止とを有する。振動Aと振動Bは、異なる振動状態である2状態を意味する。
【００２７】
着信前の状態が振動Aまたは振動Bの振動状態であって、着信後の状態が着信前と異なる状態または停止状態となる場合、ユーザは着信前に移動中の状態であったとみなす。着信後にユーザは移動中に着信に気づき反応を示したが、応答不可能であったと判断して、再通知機能を停止する。
【００２８】
着信前の状態が振動Aまたは振動Bの振動状態であって、着信後の状態が着信前と同一の振動状態となる場合、着信前に移動中であったユーザは、着信に気づかなかったと判断して、再通知機能を起動する。
【００２９】
着信前の状態が停止状態であって、着信後の状態が振動Aまたは振動Bの振動状態の場合、ユーザは着信に気づき携帯端末を移動させたが、応答不可能であったと判断して、再通知機能を停止する。
【００３０】
着信前の状態が停止状態であって、着信後の状態も停止状態の場合は、振動状態の有無のみではユーザが着信に気づいたのかどうかを判断できない為、再通知機能を起動する。
【００３１】
本実施の形態によれば、移動中のユーザが着信に気づいているが、応答不可能と判断される場合に、着信に対する再通知機能を停止するように作用し、再通知が不要に行われることを防ぎ、ユーザの不快感を軽減させるという効果を奏する。
【００３２】
また、図２の本実施の形態における携帯端末の動作を示すフローチャートは、操作検出部３にてユーザの携帯端末に対する操作が検出された場合（S105）、ユーザが着信に気づいており、さらに着信に対しての携帯端末の操作を行っている為、再通知機能停止としてフローチャートを終了してもよい。
【００３３】
（実施の形態２）
以下、本発明の実施の形態２における携帯端末について、図面を参照しながら説明する。
【００３４】
本実施の形態において、本発明の実施の形態１と同様の部分については同一符号を付し、その詳細な説明は省略する。
【００３５】
図４は、本実施の形態における携帯端末の構成を示すブロック図である。
【００３６】
本実施の形態の携帯端末は、着信検出部１、通知部２、操作検出部３、振動状態検出部４、振動状態変化検出部５、再通知機能制御部６、タイマ部７、接触センサ１１から成る。
本実施の形態と実施の形態１との相違点は、接触センサ１１を有することである。接触センサ１１は、ユーザと携帯端末が接触しているか否かを検出する。
【００３７】
再通知機能制御部６は、タイマ部７で測定した着信通知開始からの経過時間と、操作検出部３で検出したユーザの携帯端末に対する操作の有無と、振動状態変化検出部５にて検出した携帯端末の振動状態の変化に加えて、着信前後の接触センサ１１の検出結果に基づいて、再通知機能を停止するか否かを判定する。
【００３８】
以上のように構成された携帯端末について、以下、フローチャートでその動作を説明する。
【００３９】
図５は本実施の形態における携帯端末の動作を示すフローチャートである。
【００４０】
音声着信、TV電話着信、メール受信、外部情報受信等の携帯端末へ通知された着信を着信検出部１で検知すると（S201）、着信検出部１はそれを通知部２および振動状態検出部４へ通知する。振動状態検出部４は、着信前の携帯端末の振動状態を検出する（S202）。接触センサ１１の検出した着信前のユーザと携帯端末の接触状態を検出し、再通知機能制御部６は、前記接触状態の検出結果を取得する（S203）。通知部２は、着信検出部１からの着信検出を受けて、音声、バイブレータによる振動、ディスプレイ表示等を使用してユーザに対して着信があったことを通知する（S204）。さらに通知部２は、タイマ部７に一定時間のタイマ測定の開始を指示する（S205）。同時に通知部２は、ユーザに対して通知を行ったことを操作検出部３へ通知し、操作検出部３はそれを受けて着信通知開始後にユーザが携帯端末に対して操作を行ったか否かを検出する（S206）。
【００４１】
一定時間後、タイマ部７はタイマ測定を停止する（S207）。振動状態変化検出部５は、振動状態検出部４に対して着信後の携帯端末の振動状態の検出を要求し、振動状態検出部４は、それに応じて着信後の携帯端末の振動状態を検出する（S208）。接触センサ１１は、着信後のユーザと携帯端末の接触状態を検出し、再通知機能制御部６は、前記接触状態の検出結果を取得する（S209）。
【００４２】
再通知機能制御部６は、タイマ部７で測定した着信通知開始からの経過時間と、操作検出部３で検出したユーザの携帯端末に対する操作の有無と、振動状態変化検出部５にて検出した携帯端末の振動状態の変化と、着信前後の接触センサ１１の検出結果に基づいて、再通知機能を停止するか否かを判定する（S210）。
【００４３】
再通知機能制御部６は、操作検出部３にてユーザの携帯端末に対する操作が検出された場合は再通知機能を停止し、ユーザの携帯端末に対する操作が検出されなかった場合は、振動状態変化検出部５で検出した振動状態および接触センサ１１で検出した接触状態によって後述のように再通知機能の起動・停止判定を行う。
【００４４】
再通知機能制御部６による判定の結果、再通知機能を起動する場合は、着信前に振動状態であった場合は停止状態に変化したタイミング、着信前に停止状態であった場合は振動状態に変化したタイミング、もしくは予め設定したタイミングで、通知部２に対して再通知を指示する（S211）。
【００４５】
再通知機能制御部６による判定の結果、再通知機能を停止する場合は、本フローチャートを終了する。
【００４６】
図６は本実施の形態における携帯端末の再通知機能制御部６における再通知機能の起動・停止を決定する状態マトリクスである。再通知機能制御部６は、振動状態変化検出部５から通知される振動状態および接触センサ１１から通知されるユーザと携帯端末との接触状態として、振動A・接触ありと、振動A・接触なしと、振動B・接触ありと、振動B・接触なしと、停止・接触ありと、停止・接触なしとを有する。振動A・接触ありと、振動A・接触なしと、振動B・接触ありと、振動B・接触なしの振動Aと振動Bは異なる振動状態である2状態を意味する。
【００４７】
着信前の状態が振動A・接触あり、または振動A・接触なし、または振動B・接触あり、または振動B・接触なしとなる場合に、着信後の状態が着信前の状態と同様である場合は、移動中であったユーザは、着信に気づかなかったと判断して、再通知機能を起動する。
【００４８】
着信前の状態が振動A・接触あり、または振動A・接触なし、または振動B・接触あり、または振動B・接触なしとなる場合に、着信後の振動状態が着信前と異なる振動状態または停止状態となる場合は、ユーザは着信に気づき携帯端末を移動または停止させたが、応答不可能であったと判断して、再通知機能を停止する。
【００４９】
着信前の状態が停止・接触ありまたは、停止・接触なしであって、着信後の状態が振動状態の場合、ユーザは着信に気づき携帯端末を移動させたが、応答不可能であったと判断して、再通知機能を停止する。
【００５０】
着信前の状態が停止・接触ありであって、着信後の状態も停止・接触ありである場合は、ユーザが携帯端末を保持した状態で停止中であり、着信に気づいたが応答不可能であったと判断して、再通知機能を停止する。
【００５１】
着信前の状態が停止・接触なしであって、着信後の状態も停止・接触なしの場合は、ユーザが携帯端末を保持しない状態で着信を受けた為にユーザは着信に気づかなかったと判断して、再通知機能を起動する。
【００５２】
着信前の振動状態と、着信後の振動状態が同じであって、着信前後の接触状態が異なる場合は、ユーザが着信に気づいたかどうか判定できないため、考慮しない。
【００５３】
本実施の形態によれば、移動中もしくは停止中のユーザが着信に気づいているが、応答不可能と判断される場合に、着信に対する再通知機能を停止するように作用し、再通知が不要に行われることを防ぎ、ユーザの不快感を軽減させるという効果を奏する。
【００５４】
また、本実施の形態における接触センサ１１は、温度センサ等の人が携帯端末に触れていることを検出できるデバイスとしてもよい。
【産業上の利用可能性】
【００５５】
本発明の携帯端末は、ユーザが着信に気づいているが応答不可能と判断される場合に、着信に対する再通知機能を停止するように作用し、再通知が不要に行われることを防ぎ、ユーザの不快感を軽減させるという効果を有しており、ユーザへ着信を通知する手段を有する携帯端末として有用である。
【符号の説明】
【００５６】
１    着信検出部
２    通知部
３    操作検出部
４    振動状態検出部
５    振動状態変化検出部
６    再通知機能制御部
７    タイマ部
１１    接触センサ
【図１】
2012138742.tif 000003
【図２】
2012138742.tif 000004
【図３】
2012138742.tif 000005
【図４】
2012138742.tif 000006
【図５】
2012138742.tif 000007
【図６】
2012138742.tif 000008